(57)【要約】【課題】画像形成装置等の状態や、シートのセットミス等による不良シートが出力されたときに、出力をそのまま継続することなく、不良シートを排除可能とする。【解決手段】搬送路を搬送されるシートから不良シートを選別するシート検品装置において、搬送されるシートの情報を読み取る読取手段５０１ａ，５０１ｂを有し、該読取手段５０１ａ，５０１ｂによって読み取った情報に応じて検出した不良シートを検品トレイ５０５へ搬送し、該不良シートに続いて搬送されたシートをバッファトレイ５０２へ搬送するよう構成したことを特徴とする。【選択図】　　図１
2004043124.tif 000002
【特許請求の範囲】
【請求項１】
搬送路を搬送されるシートから不良シートを選別するシート検品装置において、
搬送されるシートの情報を読み取る読取手段を有し、該読取手段によって読み取った情報に応じて検出した不良シートを第１保持部へ搬送し、該不良シートに続いて搬送されたシートを第２保持部へ搬送するよう構成したことを特徴とするシート検品装置。
【請求項２】
前記不良シートを前記第１保持部へ搬送したとき、該不良シートの代替となる代替シートを前記搬送路に搬送した後、前記第２保持部に保持されているシートを前記搬送路に搬送するよう構成したことを特徴とする請求項１記載のシート検品装置。
【請求項３】
シートに画像を形成し、該画像を定着手段によって加熱定着する画像形成装置と、
前記画像形成装置から搬送路へ搬送されるシートから不良シートを選別する請求項１記載のシート検品装置と、
を有することを特徴とする画像処理装置。
【請求項４】
前記読取手段は、搬送路を搬送されるシートの第１面側の情報を読み取る第１読取手段と、搬送路を搬送されるシートの第２面側の情報を読み取る第２読取手段とを有し、
前記第１読取手段と第２読取手段のうち、前記定着手段によって加熱される側のシート面の情報を読み取る読取手段を他方の読取手段よりもシート搬送方向下流側に配置したことを特徴とする請求項３記載の画像処理装置。
【請求項５】
前記画像形成装置は定着手段による画像定着後にシートを反転して搬送する反転搬送手段を有し、
前記読取手段は、搬送されるシートの第１面側の情報を読み取る第１読取手段と、搬送されるシートの第２面側の情報を読み取る第２読取手段とを有し、
前記第１読取手段と第２読取手段のうち、前記定着手段によって加熱される側のシート面の情報を読み取る読取手段を他方の読取手段よりもシート搬送方向上流側に配置したことを特徴とする請求項３記載の画像処理装置。
【請求項６】
前記シート検品装置から搬送されるシートを処理するシート後処理装置を有することを特徴とする請求項４又は請求項５に記載の画像処理装置。
【発明の詳細な説明】
【０００１】
【発明の属する技術分野】
本発明はシートの情報を読み取り、不良シートを選別するためのシート検品装置及びこれを備えた画像処理装置に関する。
【０００２】
【従来の技術】
従来、複写機等の画像形成装置より出力されたシートは、そのまま利用されたり、また、フィニッシャー等の後処理装置によって、束としての加工、つまり、束排出処理、綴じ処理、折り処理、製本処理、ソート処理などの後処理が施せる。また、これらの場合、表紙モード、合紙モードなどのモードが設けられ、シートの先頭頁、最終頁または途中頁に、画像形成装置に設けられたカセット、又は、給送用のトレイから供給されたシートを挿入することが可能なように制御されている。
【０００３】
そのため、単一の給送段からのシートだけでない束、具体的には、他の給送段からの「表紙」、「合紙」、「裏表紙」としての挿入処理が可能であり、さらに、「挿入用シート」を載置する特殊のトレイから給送することで、同様の挿入処理が可能である。このとき、挿入用のシートの処理に関しては、単なるシート搬送動作である為、各束に対する挿入されるシートの挿入枚数目（場所）、挿入枚数とも、任意に設定が可能である。
【０００４】
【発明が解決しようとする課題】
しかしながら、画像形成装置の不良による出力シートの画像不良、画像の斜行、シートのしわや耳折れ、濃度不良や色ずれ等、また、シートセットミスによるシートの色違い等、さまざまなミスプリントが生じる可能性がある。しかし、これらを画像形成装置から出力された後、正常かどうかの判断はなされていなかった。
【０００５】
従って、例えばシートに転写された画像が、完全に定着されないうちに走行経路上の構造物に接触して画像が乱れたりした場合でも、そのまま出力は継続されてしまうという問題がある。
【０００６】
また、フィニッシャー等の後処理装置などによって製本処理等がなされてしまった場合、一枚の不良シートによって、それが一冊の本としては不良扱いになってしまい、不良のシートのみならず他の正常なシートまで無駄になってしまうという問題がある。
【０００７】
また、シートが持つ熱が原因で、画像形成装置下流に位置する後処理装置内の読取手段が昇温し、読取手段の破損や読み取り精度の低下を招く問題もある。
【０００８】
本発明は上記課題に鑑みてなされたものであり、その目的は、画像形成装置等の状態や、シートのセットミス等による不良シートが出力されたときに、出力をそのまま継続することなく、不良シートを排除可能とするシート検品装置及びこれを備えた画像処理装置を提供するものである。
【０００９】
【課題を解決するための手段】
上記目的を達成するための本発明に係る代表的な構成は、搬送路を搬送されるシートから不良シートを選別するシート検品装置において、搬送されるシートの情報を読み取る読取手段を有し、該読取手段によって読み取った情報に応じて検出した不良シートを第１保持部へ搬送し、該不良シートに続いて搬送されたシートを第２保持部へ搬送するよう構成したことを特徴とする。
【００１０】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がないかぎりは、この発明の範囲をそれらのみに限定する趣旨のものではない。
【００１１】
〔第１実施形態〕
図１乃至図５を参照して、本発明の実施の形態に係る検品装置を備えた画像処理装置について説明する。
【００１２】
図３は全体システム説明図であり、画像形成装置１００、検品装置５００、後処理装置３００によって構成されている。以下、それぞれについて説明する。
【００１３】
｛画像形成装置本体の全体構成｝
まず、図４を参照して、本発明の実施の形態に係る画像形成装置１００の全体の概略構成をシートの流れに沿って説明する。なお、画像形成装置の一例として、複写機を例に説明する。
【００１４】
図４において、画像形成装置本体１００は、その上部にブック原稿の画像情報を読み取る画像読み取り手段であるスキャナ部Ｂを有し、その下部に画像形成手段となる画像形成部Ｃを有し、更にその下部にシートデッキＤを組み付けて構成されている。
【００１５】
前記スキャナ部Ｂは、走査系光源２０１、プラテンガラス２０２、画像形成装置本体１００に対して開閉可能な原稿圧板２０３、ミラー２０４、レンズ２０５、及び受光素子（光電変換素子）２０６及び画像処理部などを有して構成されている。そして、プラテンガラス２０２上に本や厚紙、カール紙等のブック原稿やシート状原稿などを原稿面を下側にして載置し、原稿圧板２０３により背面を押圧して静止状態でセットし、読み取り開始キーを押すと、走査系光源２０１がプラテンガラス２０２の下部を図４の矢印ａ方向に走査して原稿面の画像情報を読み取る。走査系光源２０１により読み取られた原稿の画像情報は画像処理部で処理され、電気信号に変換されてレーザスキャナ１１１に伝送される。
【００１６】
ここで、画像形成装置本体１００は、レーザスキャナ１１１に画像処理部の処理信号を入力すれば複写機として機能し、コンピュータの出力信号を入力すればプリンタとして機能する。また、他のファクシミリ装置からの信号を受信したり、画像処理部の信号を他のファクシミリ装置に送信したりすれば、ファクシミリ装置としても機能する。
【００１７】
一方、画像形成部Ｃの下部にはシートカセット１を装着しており、本実施形態では、２つの給送ユニットＵ１，Ｕ２を装着して４個のカセット１ａ，１ｂ，１ｃ，１ｄを装着するようにしている。前記カセット１ａ，１ｂ内に収容されたシートは、給送回転体となるピックアップローラ３により繰り出され、フィードローラ４とリタードローラ５との協働作用により１枚ずつ分離、給送された後、搬送ローラ１０４，１０５によって搬送され、レジストローラ１０６に導かれ、該ローラ１０６によって画像形成動作に同期するようにして画像形成部Ｃへと給送される。
【００１８】
尚、手差しトレイ６にセットしたシートを給送ローラ７によって画像形成部Ｃへ給送することも可能である。
【００１９】
画像形成部Ｃは、電子写真感光体ドラム１１２、画像書き込み光学系１１３、現像器１１４及び転写帯電器１１５等を有して構成されている。そして、帯電器により一様に帯電された感光体ドラム１１２の表面にレーザスキャナ１１１から射出された画像情報に対応するレーザ光が画像書き込み光学系１１３により走査されて潜像を形成し、この潜像に現像器１１４によりトナー画像が形成されて、レジストローラ１０６により感光体ドラム１１２の回転に同期して搬送されたシートに転写帯電器１１５によりシートの第１面にトナー画像が転写される。
【００２０】
１１７はトナー画像が形成されたシートを搬送する搬送部、１１８は定着装置、１１９は排出ローラである。トナー画像が形成されたシートは搬送部１１７により定着装置１１８に搬送されて、加熱及び加圧されてトナー画像がシート表面に定着された後、排出ローラ１１９によって機外に排出される。
【００２１】
なお、定着装置１１８は、図１に示すように、シートに画像を定着させるために必要な熱を付与する定着ヒートローラ１１８ａと、シートを定着ヒートローラ１１８ａに押圧して搬送する加圧ローラ１１８ｂとのローラ対で構成され、シートに熱及び圧を加えることにより画像を定着させる。
【００２２】
また、シートの両面に画像を記録する場合には、定着装置１１８から排出されたシートが排出ローラ１１９に挟持され、シートの後端が分岐路２０７を通過した時点で該排出ローラ１１９逆転し、シート両面トレイ１２１上に一旦載置された後、搬送ローラ１０４，１０５により搬送されて、レジストローラ１０６に到達し、反転されたシートは第２面に前述と同様にして画像が形成された後、排出される。また、分岐路２０７は反転排出手段も構成するものであり、これを介して片面に画像形成されたシートを反転排出させることも可能である。
【００２３】
｛後処理装置の全体構成｝
次に図５を参照して後処理装置３００について説明する。後処理装置３００は、検品装置５００から排出されたシートを入口ローラ対３０２から受取り、その内部へ搬送する。入口ローラ対３０２の下流には搬送ローラ対３０３があり、入口ローラ対３０２と搬送ローラ対３０３との間にはシート検知センサ３３１が設けられている。
【００２４】
搬送ローラ対３０３の下流にはパンチユニット３５０があり、パンチユニット３５０の下流は搬送大ローラ３０５とその周りのシートを押圧して搬送する押圧コロ３１２，３１３，３１４とが配置されている。
【００２５】
切換フラッパ３１１は、ノンソートパス３２１と、ソートパス３２２との切り換えを行うようになっている。ソートパス３２２の入口にある切換フラッパ３１０は、ソートパス３２２と、シートを一時的に蓄えるバッファパス３２３との切り換えを行うようになっている。
【００２６】
ソートパス３２２中には搬送ローラ３０６が設けられている。ソートパス３２２の下流に配置された積載トレイとしての中間トレイ（以下「処理トレイ」という）３０８上では、シートの一時的な集積、整合、ステイプル等が行えるようになっている。
【００２７】
ソートパス３２２の出口にある排出ローラ３０７は、処理トレイ３０８上にシートを排出するようになっている。上部束排出ローラ３１８ｂは揺動ガイド３１５に支持され、揺動ガイド３１５が閉位置に移動したとき、処理トレイ３０８に配置された下部束排出ローラ３１８ａと協働して処理トレイ３０８上のシートを束搬送してスタックトレイ３２０上に束排出するようになっている。
【００２８】
つまり、揺動ガイド３１５が傾き、下部束排出ローラ３１８ａと上部束排出ローラ３１８ｂとでローラ対を形成して処理トレイ３０８上のシートを束搬送する。
【００２９】
｛検品装置の全体構成｝
次に図１を参照して、第１実施形態に係る検品装置の全体の概略構成を説明する。
【００３０】
５０４は画像形成装置１００から出力されたシートを受け取るための搬送路である。この搬送路５０４は、前述した後処理装置３００へシートを受け渡す出口へとつながっている。
【００３１】
５０１ａはシート上面の画像、色、外形等のシート情報（画像不良、画像の斜行、シートのしわや耳折れ、濃度不良や色ずれ等）を読み取る上面読取手段であり、５０１ｂはシート下面の画像、色、外形等のシート情報を読み取る下面読取手段である。それぞれの読取手段５０１ａ，５０１ｂ内には、ＣＣＤ、ＣＩＳ等が内蔵されている。その読取幅は、供給される最大シート幅以上あり、シートの外形をも読み取るのに十分である。
【００３２】
前記読取手段５０１ａ，５０１ｂはそれぞれ画像の記録を制御する画像記録信号と、それにより記録され出力された画像を読み取った読取画像信号とを比較することにより、画像形成装置本体内部の不具合による画像の乱れを検出し、また、シートの外形情報や色情報などを読取画像信号とともに読み取ることにより、シートの斜行等の搬送状態や、画像のレジ、シートの色違い等を検出することができるものである。
【００３３】
５０６，５０７はシート搬送方向を切り替えるフラッパである。フラッパ５０６はシートを分岐パス５１３に案内するためのものであり、読取手段５０１ａ，５０１ｂから少なくとも供給される最大シート長以上離れた位置に配置されている。
【００３４】
５０２，５０５はフラッパ５０６，５０７によって案内されたシートを積載するためのトレイである。第２保持部となるバッファトレイ５０２には再給送手段５０３が設けられている。このバッファトレイ５０２へは搬送パス５０８によってシートが案内される。トレイ５０２から再給送されたシートは、再び読取手段５０１ａ，５０１ｂを通過するようにトレイ５０２及び搬送パス５０８は配置されている。一方、第１保持部となる検品トレイ５０５は搬送パス５０９によって案内されたシートを積載し、検品装置本体の外部に露出している。
【００３５】
５１１は読取手段５０１ａ，５０１ｂによって読み取られた画像データを記憶する記憶装置である。５１２は読み取った画像を基準となるデータと比較するための比較装置、５１０は検品装置の動作及び画像形成装置本体１００、後処理装置３００とを制御するＣＰＵである。また、５１４は操作部であり、検品装置の状態や後述する動作指示を行う場合に利用される。
【００３６】
｛検品装置の動作｝
次に検品装置５００の概略の動作を、図１及び図２のフローチャートを用いて説明する。
【００３７】
画像形成装置本体１００より出力されたシートが、搬送路５０４を通過する。その直後に読取手段５０１ａによりシート上面の情報を、また読取手段５０１ｂによりシート下面の情報をそれぞれ読み込む。読み込んだ情報はデータに変換されて、予め記憶装置に保存された元データと比較される。比較の結果、ＯＫならば、シートは搬送路５０４をそのまま通過し、図１の矢印Ｅ方向に搬送され、後処理装置３００に送られる。このとき操作部５１４には検品ＯＫの表示がなされ、ユーザに出力が順調であることを通知する。この動作が順次、繰り返される。
【００３８】
次に、前記比較の結果がＮＧだった場合について説明する。ＮＧの信号を受けて、ＣＰＵ５１０はフラッパ５０６を図１の矢印Ａ方向に切り替え、不良と判断されたシート（以下、不良シート）を分岐パス５１３へ案内する。さらに、フラッパ５０７を矢印Ｃ方向に切り替え、不良シートを搬送パス５０９方向へ案内する。その結果、不良シートは検品トレイ５０５に排出される。
【００３９】
検品トレイ５０５は検品装置外部に露出されており、排出されたシートはすぐに人が視認できるようになっている。さて、このとき画像形成装置本体１００内は、次の、すでに定着器を通過したシートや、画像形成中のシート、シートカセット１より給送されたシート等、数枚のシートが仕掛り中で存在している。そのため、ＣＰＵ５１０は画像形成装置本体１００のＣＰＵ（図示せず）に、仕掛中の画像形成から定着までは行い、それ以降の動作を一旦中止させる指令を送る。そして、再度不良シートの代替シートを給送させ、画像形成を行うよう指示する。
【００４０】
一方、仕掛中のシートが検品装置５００に案内されると、上面読取手段５０１ａによりシート上面の情報を、下面読取手段５０１ｂによりシート下面の情報を読み取る。ＯＫならば、ＣＰＵ５１０はフラッパ５０６を図１の矢印Ａ方向に、フラッパ５０７を矢印Ｄ方向に切り替える。その結果、仕掛中のシートはバッファトレイ５０２に案内され順次積載される。
【００４１】
その後、不良シートの代替シートに再出力されたシートが検品装置５００に送られ、読取手段５０１ａ，５０１ｂを通過して情報を読み取られてＯＫならば、ＣＰＵ５１０はフラッパ５０６を矢印Ｂ方向に切り替え、シートが矢印Ｅ方向へ搬送されるように切り替える。そしてシートは後処理装置３００へ案内される。
【００４２】
その後、バッファトレイ５０２に積載されていた仕掛シートが再給送手段５０３によって順次給送され、搬送路５０４を通過して後処理装置３００に案内される。このとき、読取手段５０１ａ，５０１ｂにより情報は再び読み取られ、重送、折れ等が生じてないかをチェックされる。その後、ＣＰＵ５１０は残りのジョブを行うよう画像形成装置本体１００のＣＰＵに指示する。
【００４３】
もちろん、画像形成装置から再出力されたシートや、バッファトレイから再給送されたシートが、再び検品ＮＧになった場合はそれを検品トレイ５０５に排出し画像形成装置本体１００のＣＰＵに再度出力を指示する。その後の一連の動作は上記にならう。
【００４４】
以上説明したように、本実施形態の検品装置は、読取手段によってシートの斜行等の搬送状態や、画像のレジ、シートの色違い等を検出することができる。
【００４５】
そして、不良シートは検品トレイに出力することにより、どんな不良なのかをユーザが容易に視認できる。また、連続出力を行っている場合、画像形成装置本体内の仕掛りシートの内、良品は、廃却することなく、バッファトレイに収納し、画像形成装置本体から不良シートの代替シートを再出力し、その後、バッファトレイに収納していたシートを再給送するので、たとえ不良シートが発生しても、装置を止めることなく自動でリカバリーでき、ユーザが装置の前に常駐する必要がなく生産性が向上する。
【００４６】
また、不良シート以外に廃却するシートがないので無駄がなくなる。また、後処理装置等で製本処理等を行う場合も、後処理装置に不良シートが搬送されることがないので、製本したものが良品であることが保証できる。
【００４７】
そして、定着ヒートローラ１１８ａ側の下面読取手段５０１ｂを、反対側の上面読取手段５０１ａに対し、シート搬送方向で下流に置くことにより、本実施形態では定着ヒートローラ１１８ａの接触側面と逆面である、より冷却されているシート面側を先に読み取ることが可能となり、読取手段５０１ａ，５０１ｂの昇温に対して有利になる。
【００４８】
なお、加圧ローラ１１８ｂ側に定着ヒートローラ１１８ａを配置した場合には、上面読取手段５０１ａを下面読取手段５０１ｂに対して、シート搬送方向で下流に配置することにより、同様の効果が得られる。
【００４９】
以上により、読取手段５０１ａ，５０１ｂの昇温を防止することが可能となり、読取手段の破損を防止し、さらには精度の高い検品を行うことが可能となる。
【００５０】
〔第２実施形態〕
図６を参照して、本発明の第２実施形態に係る検品装置の全体の概略構成を説明する。
【００５１】
本実施形態では、前述した第１実施形態に対し、一部の構成を変更し、新たな構成を付加したものであり、その特徴的な部分についてのみ詳しく説明する。
【００５２】
なお、装置全体の構成等については、第１実施形態で説明したものと同一であり、その説明は省略する。
【００５３】
図６に示すように、定着装置１１８によって加熱定着した後、分岐路２０７によってシートを反転排出する構成にあっては、定着ヒートローラ１１８ａ側の読取手段５０１ｂを、反対側の読取手段５０１ａに対し、シート搬送方向で上流に配置している。
【００５４】
上記構成にあっては、定着装置１１８を通過したシートは分岐路２０７に入り込み、前後逆になってスイッチバックして排出ローラ１１９で搬送路５０４に反転排出される。これにより、ヒートローラ接触側面と逆面である、より冷却されているシート面側を読取手段５０１ｂによって先に読み取ることが可能となり、読取手段５０１ａ，５０１ｂの昇温に対して有利になる。
【００５５】
また、１１８ｂが定着ヒートローラの場合、下面読取手段５０１ｂを上面読取手段５０１ａに対して、シート搬送方向で下流に配置することにより、同様の効果が得られる。
【００５６】
以上により、読取手段５０１ａ，５０１ｂの昇温を防止することが可能となり、読取手段の破損を防止し、さらには精度の高い検品を行うことが可能となる。
【００５７】
〔他の実施形態〕
前述した実施形態では、検品装置を独立した装置として説明したが、画像形成装置本体と一体となっていても良いことはもちろんである。また、検品装置の後に後処理装置を装着しているが、それに限らず、スタッカ等の単なる積載手段でも良いことはもちろんである。また、読取手段内として、ＣＣＤやＣＩＳをあげたが、それに限らなくても良いことももちろんである。
【００５８】
【発明の効果】
本発明は前述したように、読取手段によって不良シートを検出し、これを排除することができる。
【００５９】
また、不良シートに続いて搬送されたシートを第２保持部へ保持させておくことにより、不良シートの代替となるシートを搬送した後、これに続いて前記第２保持部へ保持されているシートを搬送することで、不良シート以外に廃却するシートをなくし、無駄をなくすことができる。
【００６０】
また、シートの情報を検知する読取手段の配置を定着手段の熱源に応じて変更するようにすれば読取手段の昇温を防止することが可能となり、読取手段の破損を防止し、さらには精度の高い検品を行うことが可能となる
【図面の簡単な説明】
【図１】シート検品装置の断面説明図である。
【図２】シート検品動作のフローチャートである。
【図３】シート検品装置を備えた画像処理装置の全体説明図である。
【図４】画像形成装置の断面説明図である。
【図５】シート後処理装置の断面説明図である。
【図６】第２実施形態に係るシート検品装置の断面説明図である。
【符号の説明】
Ｂ　　　　…スキャナ部
Ｃ　　　　…画像形成部
Ｄ　　　　…シートデッキ
Ｕ１，Ｕ２　…給送ユニット
１　　　　…シートカセット
３　　　　…ピックアップローラ
４　　　　…フィードローラ
５　　　　…リタードローラ
６　　　　…手差しトレイ
７　　　　…給送ローラ
１００　　　…画像形成装置
１０４，１０５　…搬送ローラ
１０６　　　…レジストローラ
１１１　　　…レーザスキャナ
１１２　　　…感光体ドラム
１１３　　　…光学系
１１４　　　…現像器
１１５　　　…転写帯電器
１１７　　　…搬送部
１１８　　　…定着装置
１１８ａ　…定着ヒートローラ
１１８ｂ　…加圧ローラ
１１９　　　…排出ローラ
１２１　　　…シート両面トレイ
２０１　　　…走査系光源
２０２　　　…プラテンガラス
２０３　　　…原稿圧板
２０４　　　…ミラー
２０５　　　…レンズ
２０６　　　…光電変換素子
２０７　　　…分岐路
３００　　　…後処理装置
３０２　　　…入口ローラ対
３０３　　　…搬送ローラ対
３０５　　　…搬送大ローラ
３０６　　　…搬送ローラ
３０７　　　…排出ローラ
３０８　　　…処理トレイ
３１０　　　…切換フラッパ
３１１　　　…切換フラッパ
３１２，３１３，３１４　…押圧コロ
３１５　　　…揺動ガイド
３１８ａ　…下部束排出ローラ
３１８ｂ　…上部束排出ローラ
３２０　　　…スタックトレイ
３２１　　　…ノンソートパス
３２２　　　…ソートパス
３２３　　　…バッファパス
３３１　　　…シート検知センサ
３５０　　　…パンチユニット
５００　　　…検品装置
５０１ａ，５０１ｂ　…読取手段
５０２　　　…バッファトレイ
５０３　　　…再給送手段
５０４　　　…搬送路
５０５　　　…検品トレイ
５０８　　　…搬送パス
５０９　　　…搬送パス
５１０　　　…ＣＰＵ
５１１　　　…記憶装置
５１２　　　…比較装置
５１３　　　…分岐パス
５１４　　　…操作部
【図１】
2004043124.tif 000003
【図２】
2004043124.tif 000004
【図３】
2004043124.tif 000005
【図４】
2004043124.tif 000006
【図５】
2004043124.tif 000007
【図６】
2004043124.tif 000008